(57)【特許請求の範囲】
【請求項１】
複数の振動子を介して、被検体内部を超音波ビームで走査する走査部と、
前記走査部の出力に基づく複数の断層像それぞれの表示枠の縦方向の長さが横方向の長さより長い場合、前記複数の断層像を横方向に並べて表示するレイアウトを表示レイアウトとして設定し、複数の断層像の表示枠の横方向の長さが縦方向の長さより長い場合、前記複数の断層像を縦方向に並べて表示するレイアウトを表示レイアウトとして設定するレイアウト設定部と、
前記レイアウト設定部により設定された表示レイアウトに従って、前記複数の断層像を表示部に表示させる表示制御部と、
を具備し、
前記複数の断層像は、前記走査部のリアルタイムの出力に基づく断層像を含むことを特徴とする超音波診断装置。
【請求項２】
前記複数の断層像の基となるデータに基づいて、表示領域を決定する表示領域決定部をさらに具備し、
前記複数の断層像それぞれは、前記表示領域の画像であること、
を特徴とする請求項１に記載の超音波診断装置。
【請求項３】
前記データは、前記走査部の出力に基づく画像データ又はローデータであり、
前記表示領域決定部は、前記データの画素値に基づいて、前記表示領域を決定すること、
を特徴とする請求項２に記載の超音波診断装置。
【請求項４】
前記データは、前記走査部の出力に基づく画像データ又はローデータであり、
前記表示領域決定部は、前記データを用いて算出されるＳ／Ｎ比に基づいて、前記表示領域を決定すること、
を特徴とする請求項２に記載の超音波診断装置。
【請求項５】
前記データは、前記走査部の出力に基づくローデータであって、
前記表示領域決定部は、走査線に沿った前記ローデータのＳ／Ｎ比に基づいて、前記表示領域を決定すること、
を特徴とする請求項２に記載の超音波診断装置。
【請求項６】
前記複数の断層像は、前記走査部の出力に基づく、フリーズ操作の時の断層像を含むこと、
を特徴とする請求項１記載の超音波診断装置。
【請求項７】
前記複数の断層像は、異なるモードにより生成されており、
前記複数の断層像は、前記走査部の出力に基づく、フリーズ操作の時の断層像を含むこと、
を特徴とする請求項１記載の超音波診断装置。
【請求項８】
複数の振動子を介して、被検体内部を超音波ビームで走査する走査部を備えた超音波診断装置に内蔵されたコンピュータに、
前記走査部の出力に基づく複数の断層像それぞれの表示枠の縦方向の長さが横方向の長さより長い場合、前記複数の断層像を横方向に並べて表示するレイアウトを表示レイアウトとして設定し、複数の断層像の表示枠の横方向の長さが縦方向の長さより長い場合、前記複数の断層像を縦方向に並べて表示するレイアウトを表示レイアウトとして設定するレイアウト設定機能と、
前記レイアウト設定機能により設定された表示レイアウトに従って、前記複数の断層像を表示部に表示させる表示制御機能と、
を実現させ、
前記複数の断層像は、前記走査部のリアルタイムの出力に基づく断層像を含むことを特徴とする超音波診断装置制御プログラム。
【請求項９】
前記レイアウト設定部は、前記断層像における方位角または画像幅と、前記断層像の視野深度と、前記断層像の同時表示枚数とに基づいて、表示レイアウトを設定すること、
を特徴とする請求項１に記載の超音波診断装置。
【請求項１０】
複数の振動子を介して、被検体内部を超音波ビームで走査する走査部と、
前記走査部の出力に基づく複数の断層像の表示レイアウトを、前記複数の断層像の視野深度に応じて、前記複数の断層像を横方向に並べて表示するレイアウトと、縦方向に並べて表示するレイアウトとのいずれかから選択し、選択した表示レイアウトに従って、前記複数の断層像を表示部に表示させる制御部と、
を具備することを特徴とする超音波診断装置。
【請求項１１】
走査部を備えた超音波診断装置が実行する医用画像表示方法であって、
前記走査部により、複数の振動子を介して、被検体内部を超音波ビームで走査し、
前記走査部の出力に基づく複数の断層像の表示レイアウトを、前記複数の断層像の視野深度に応じて、前記複数の断層像を横方向に並べて表示するレイアウトと、縦方向に並べて表示するレイアウトとのいずれかから選択し、
前記選択した表示レイアウトに従って、前記複数の断層像を表示部に表示させること、
を具備することを特徴とする医用画像表示方法。
【発明の詳細な説明】
【技術分野】
【０００１】
本発明の実施形態は、被検体内を走査することにより被検体内部の臓器を画像化し、被検体の疾患などを診断する超音波診断装置、超音波診断装置制御プログラム、および医用画像表示方法に関する。
【背景技術】
【０００２】
従来、超音波診断装置は、超音波プローブを被検体表面に当てるだけの簡単な操作で、心臓の拍動、胎児の動きなどの様子を、リアルタイムで表示することができる。加えて、超音波診断装置は、他の医用画像診断装置に比べて、安全性が高いため、繰り返し検査を実行することができる。また、超音波診断装置は、Ｘ線診断装置、Ｘ線コンピュータ断層撮影装置、磁気共鳴イメージング装置、核医学診断装置などの他の医用画像診断装置に比べて小さい。このため、超音波診断装置は、ベッドサイドへ移動させることにより、簡便に検査を実行することができる。さらに、Ｘ線などによる被曝がないため、超音波診断装置は、産科および在宅医療等においても使用することができる。
【０００３】
近年、高周波プローブの開発、および画像処理技術の発展に伴って、超音波診断装置の分解能は、飛躍的に向上している。この分解能の向上に伴い、近年整形外科の分野における超音波診断装置の利用が急増している。整形外科における診断の一例として、被検体の左右の同部位（例えば、腕、足など）各々を超音波診断装置で走査することにより発生された２枚の超音波画像が、一つの画面に並列して表示されることがある。つまり、被検体の左右の同部位を一つの画面に並列して表示することにより、患側と健側との比較がしばしば行われる。また、疾患部位付近において角度を変えて撮像した２つの断層像が、並列させて表示されることもある。
【０００４】
このとき、２つの断層像は、表示画面上の左右に並列表示される。しかしながら、特に乳腺領域、および整形外科において表在領域が観察される場合、図８に示すように、被検体表面からの深さが１乃至３ｃｍ程度のごく浅い領域に着目されることが多い。この場合、左右並列表示を実行するためには、例えば、図９のように、表示画面の表示領域に収まるように、所定の幅で表示画像の左右端部を非表示にする必要がある。また、図１０に示すように、走査範囲の全画角に対して左右並列表示を実行するためには、断層像を縮小させる必要がある。いずれにしても、表示画面の下半分の領域には何も表示されないため、表示画面を有効に使用できていない問題がある。
【発明の概要】
【発明が解決しようとする課題】
【０００５】
表示画面上において、２つの断層像の左右並列表示と上下並列表示とは、超音波診断装置により予めいずれかの並列表示として設定されている。このとき、操作者は、所望する並列表示を設定するために、入力装置を介して設定の変更を入力する必要がある。また、左右並列表示と上下並列表示とが選択可能である場合、操作者は、入力装置を介して、いずれか一方の表示を選択する必要がある。一方、整形外科での超音波診断の検査において、触診をする感覚で気軽に超音波診断装置の操作を実行できることが望まれている。また、整形外科の分野では、超音波診断装置の操作に慣れていない操作者が多いため、できるだけ細かなボタン操作なしで、超音波診断の検査を終えたいという要求が高まっている。また、入力装置にて使用されるボタンの数を極力減らすような要求が高まっている。整形外科での超音波検査においては素早く診断を行うことが望まれている。このため、画像表示の設定のための細かな操作を省略して診断を行ってしまうことが多い。このとき、標準の画像表示の設定から変更することは実施されず、表示領域を大きく保ったまま全身の運動器官を表示して診断を行ってしまうことがある。
【０００６】
以上のことから、２つの断層像の左右並列表示と上下並列表示とを実行するにあたって、操作者は、細かなボタン操作を実行しなければならない問題がある。加えて、操作者が所望する超音波画像の表示領域は検査の状況に合わせて大きく変わりうるが、表示領域は変更されずに、そのままとなっている問題がある。また、表示領域の設定は操作者にとって負担となる問題がある。
【０００７】
目的は、取得された超音波画像に応じて、最適な表示レイアウトを選択することができる超音波診断装置、超音波診断装置制御プログラム、および医用画像表示方法を提供することにある。
【課題を解決するための手段】
【０００８】
本実施形態に係る超音波診断装置は、複数の振動子を介して、被検体内部を超音波ビームで走査する走査部と、前記走査部の出力に基づく複数の断層像それぞれの表示枠の縦方向の長さが横方向の長さより長い場合、前記複数の断層像を横方向に並べて表示するレイアウトを表示レイアウトとして設定し、複数の断層像の表示枠の横方向の長さが縦方向の長さより長い場合、前記複数の断層像を縦方向に並べて表示するレイアウトを表示レイアウトとして設定するレイアウト設定部と、前記レイアウト設定部により設定された表示レイアウトに従って、前記複数の断層像を表示部に表示させる表示制御部と、を具備し、前記複数の断層像は、前記走査部のリアルタイムの出力に基づく断層像を含むことを特徴とする。
【図面の簡単な説明】
【０００９】
【図１】図１は、第１の実施形態に係る超音波診断装置の構成を示す構成図である。
【図２】図２は、第１の実施形態に係り、走査部の構成の一例を示す構成図である。
【図３】図３は、第１の実施形態に係り、断層像データ発生部の構成の一例を示す構成図である。
【図４】図４は、第１の実施形態に係り、発生された断層像の縦横比と、画像の同時表示枚数とに基づいて、複数の表示レイアウトから特定の表示レイアウトを選択する手順を示すフローチャートである。
【図５】図５は、第１の実施形態に係り、特定の表示レイアウトで、２枚の断層像の表示の一例を示す図である。
【図６】図６は、第２の実施形態に係る超音波診断装置の構成の一例を示す図である。
【図７】図７は、第２の実施形態に係り、発生された断層像のデータに基づいて、断層像の表示領域を決定し、決定された表示領域の縦横比と、画像の同時表示枚数とに基づいて、複数の表示レイアウトから特定の表示レイアウトを選択する手順を示すフローチャートである。
【図８】図８は、従来の超音波画像の一例を示す図である。
【図９】図９は、従来の２画像並列表示に係り、表示画像の左右端部を非表示にした断層像の一例を示す図である。
【図１０】図１０は、従来の２画像並列表示に係り、走査範囲の全画角を表示するために縮小した断層像の一例を示す図である。
【発明を実施するための形態】
【００１０】
以下、図面を参照しながら本実施形態に係わる超音波診断装置を説明する。なお、以下の説明において、略同一の構成を有する構成要素については、同一符号を付し、重複説明は必要な場合にのみ行う。
【００１１】
（第１の実施形態）  
図１は、第１の実施形態に係る超音波診断装置１の構成を示す構成図である。同図に示すように、超音波診断装置１は、超音波プローブ１１、装置本体１２、表示部２１、装置本体１２に接続され操作者からの各種指示・命令・情報を装置本体１２に取り込むための入力装置２２を有する。加えて本超音波診断装置１には、心電計、心音計、脈波計、呼吸センサに代表される図示していない生体信号計測部およびネットワークが、後述するインターフェース部２０を介して接続されてもよい。なお、超音波診断装置１は、図示していない位置検出部を有していてもよい。
【００１２】
超音波プローブ１１は、複数の圧電振動子と、整合層と、複数の圧電振動子の背面側に設けられるバッキング材とを有する。複数の圧電振動子は、圧電セラミックス等の音響／電気可逆的変換素子である。複数の圧電振動子は並列され、超音波プローブ１１の先端に装備される。なお、一つの圧電振動子が一チャンネルを構成するものとして説明する。圧電振動子は、後述する走査部１３における超音波送信ユニット１３１から供給される駆動信号に応答して超音波を発生する。超音波プローブ１１を介して被検体Ｐに超音波が送信されると、送信された超音波（以下、送信超音波と呼ぶ）は、被検体内の生体組織における音響インピーダンスの不連続面で反射される。圧電振動子は、反射された超音波を受信し、エコー信号を発生する。エコー信号の振幅は、超音波の反射に関する不連続面を境界とする音響インピーダンスの差に依存する。また、送信超音波が移動している血流、および心臓壁等の表面で反射された場合のエコー信号の周波数は、ドプラ効果により、移動体（血流および心臓壁の表面）の超音波送信方向の速度成分に依存して偏移する。
【００１３】
以下、超音波プローブ１１は、１次元アレイにより２次元走査するプローブとして説明する。なお、超音波プローブ１１は、１次元アレイを複数の振動子の配列方向と直交する方向に揺動させて３次元走査を実行するメカニカル４次元プローブであってもよい。また、超音波プローブ１１は、メカニカル４次元プローブに限定されず、２次元アレイプローブであってもよい。
【００１４】
整合層は、被検体Ｐに対する超音波の送受信を効率よくするために、複数の圧電振動子の超音波放射面側に設けられる。バッキング材は、圧電振動子の後方への超音波の伝搬を防止する。
【００１５】
なお、超音波プローブ１１は、所定位置を基準とした超音波プローブ１１の位置情報を取得する位置センサを有していてもよい。所定位置とは、例えば、超音波診断装置１の装置本体１２の位置である。なお、所定位置は、後述する入力装置２２を介した操作者の指示により、適宜調整可能である。例えば入力装置２２から入力を受けたときの超音波プローブ１１の位置を所定位置として定義してもよい。なお、所定位置は、被検体の体表面に初めに当接される位置であってもよい。
【００１６】
位置検出部は、位置センサから出力されたプローブ位置情報を用いて、所定位置を基準とした超音波プローブ１１の位置と、超音波プローブ１１の向きとを検出する。具体的には、位置検出部は、所定位置を基準とした絶対座標系上に超音波プローブ１１の位置と向きを決定する。以下、絶対座標系上における超音波プローブ１１の位置と向きとを総称して、プローブ座標と呼ぶ。位置検出部は、プローブ座標を後述する画像生成ユニット１４３などに出力する。
【００１７】
装置本体１２は、走査部１３と、断層像データ発生部１４と、縦横比計算部１５と、レイアウト選択部１６と、シネメモリ１７と、画像合成部１８と、記憶部１９と、インターフェース部２０と、制御プロセッサ（中央演算処理装置：Ｃｅｎｔｒａｌ  Ｐｒｏｃｅｓｓｉｎｇ  Ｕｎｉｔ：以下ＣＰＵと呼ぶ）２３とを有する。
【００１８】
図２は、走査部１３の構成の一例を示す図である。走査部１３は、超音波送信ユニット１３１と超音波受信ユニット１３２とを有する。超音波送信ユニット１３１は、後述するＣＰＵ２３による制御のもとで、超音波プローブ１１における複数の圧電振動子各々に駆動信号を供給する。
【００１９】
具体的には、超音波送信ユニット１３１は、パルス発生器１３１Ａと送信遅延回路１３１Ｂと、パルサ回路１３１Ｃとを有する。パルス発生器１３１Ａは、所定のレート周波数ｆｒＨｚ（周期：１／ｆｒ秒）で、送信超音波を形成するためのレートパルスを繰り返し発生する。発生されたレートパルスは、チャンネル数に分配され、送信遅延回路１３１Ｂに送られる。送信遅延回路１３１Ｂは、複数のチャンネルごとに、送信超音波をビーム状に収束し、かつ送信指向性を決定するために必要な遅延時間（以下、送信遅延時間と呼ぶ）を、各レートパルスに与える。送信超音波の送信方向または送信遅延時間（以下、送信遅延パターンと呼ぶ）は、後述する記憶部１９に記憶される。記憶部１９に記憶された送信遅延パターンは、後述するＣＰＵ２３により超音波の送信時に参照される。パルサ回路１３１Ｃは、このレートパルスに基づくタイミングで、超音波プローブ１１の振動子ごとに電圧パルス（駆動信号）を印加する。これにより、超音波ビームが被検体に送信される。
【００２０】
超音波受信ユニット１３２は、プリアンプ１３２Ａ、図示していないアナログディジタル（Ａｎａｌｏｇ  ｔｏ  ｄｉｇｉｔａｌ（以下、Ａ／Ｄと呼ぶ））変換器、受信遅延回路１３２Ｂ、加算器１３２Ｃを有する。プリアンプ１３２Ａは、超音波プローブ１１を介して取り込まれた被検体Ｐからのエコー信号をチャンネル毎に増幅する。Ａ／Ｄ変換器は、増幅された受信エコー信号をディジタル信号に変換する。受信遅延回路１３２Ｂは、ディジタル信号に変換された受信エコー信号に、受信指向性を決定するために必要な遅延時間（以下、受信遅延時間と呼ぶ）を与える。エコー信号の受信方向または受信遅延時間（以下、受信遅延パターンと呼ぶ）は、後述する記憶部１９に記憶される。記憶部１９に記憶された受信遅延パターンは、後述するＣＰＵ２３により超音波の受信時に参照される。加算器１３２Ｃは、遅延時間が与えられた複数のエコー信号を加算する。この加算により、超音波受信ユニット１３２は、受信指向性に応じた方向からの反射成分を強調した受信信号（ＲＦ（ｒａｄｉｏｆｒｅｑｕｅｎｃｙ）信号ともいう）を発生する。この送信指向性と受信指向性とにより超音波送受信の総合的な指向性が決定される。この総合的な指向性により、超音波ビーム（いわゆる「超音波走査線」）が決まる。
【００２１】
図３は、断層像データ発生部１４の構成の一例を示す図である。断層像データ発生部１４は、Ｂモード処理ユニット１４１と、ドプラ処理ユニット１４２と、画像生成ユニット１４３とを有する。断層像データ発生部１４は、断層像データを発生する。断層像データとは、後述するローデータおよび後述する超音波画像のデータである。
【００２２】
Ｂモード処理ユニット１４１は、図示していない包絡線検波器、対数変換器などを有する。包絡線検波器は、走査部１３から出力された受信信号に対して包絡線検波を実行する。包絡線検波器は、包絡線検波された信号を、後述する対数変換器に出力する。対数変換器は、包絡線検波された信号に対して対数変換して弱い信号を相対的に強調する。Ｂモード処理ユニット１４１は、対数変換器により強調された信号に基づいて、各走査線および各超音波送受信における深さごとの信号値（Ｂモードデータ）を発生する。
【００２３】
なお、超音波プローブ１１がメカニカル４次元プローブである場合や２次元アレイプローブである場合、Ｂモード処理ユニット１４１は、被走査領域におけるアジマス（Ａｚｉｍｕｔｈ）方向、エレベーション（Ｅｌｅｖａｔｉｏｎ）方向、深さ方向（以下レンジ（Ｒａｎｇｅ）方向と呼ぶ）にそれぞれ対応付けて配列された複数の信号値からなる３次元Ｂモードデータを発生してもよい。レンジ方向とは、走査線上の深さ方向である。アジマス方向とは例えば、１次元超音波振動子の配列方向に沿った電子走査方向である。エレベーション方向とは、１次元超音波振動子の機械的揺動方向である。なお、３次元Ｂモードデータは、複数の画素値または複数の輝度値などを、走査線に沿って、アジマス方向、エレベーション方向、レンジ方向にそれぞれ対応付けて配列させたデータであってもよい。また、３次元Ｂモードデータは、被走査領域において予め設定された関心領域（Ｒｅｇｉｏｎ  Ｏｆ  Ｉｎｔｅｒｅｓｔ：以下ＲＯＩと呼ぶ）に関するデータであってもよい。また、Ｂモード処理ユニット１４１は、３次元Ｂモードデータの代わりにボリュームデータを発生してもよい。以下、Ｂモード処理ユニット１４１で発生されるデータをまとめて、Ｂモードデータ呼ぶ。
【００２４】
ドプラ処理ユニット１４２は、図示していないミキサー、低域通過フィルタ（Ｌｏｗ  Ｐａｓｓ  Ｆｉｌｔｅｒ：以下ＬＰＦと呼ぶ）、速度／分散／Ｐｏｗｅｒ演算デバイス等を有する。ミキサーは、走査部１３から出力された受信信号に、送信周波数と同じ周波数ｆ０を有する基準信号を掛け合わせる。この掛け合わせにより、ドプラ偏移周波数ｆｄの成分の信号と（２ｆ０＋ｆｄ）の周波数成分を有する信号とが得られる。ＬＰＦは、ミキサーからの２種の周波数成分を有する信号のうち、高い周波数成分（２ｆ０＋ｆｄ）の信号を取り除く。ドプラ処理ユニット１４２は、高い周波数成分（２ｆ０＋ｆｄ）の信号を取り除くことにより、ドプラ偏移周波数ｆｄの成分を有するドプラ信号を発生する。
【００２５】
なお、ドプラ処理ユニット１４２は、ドプラ信号を発生するために、直交検波方式を用いてもよい。このとき、受信信号（ＲＦ信号）は、直交検波されＩＱ信号に変換される。ドプラ処理ユニット１４２は、ＩＱ信号を複素フーリエ変換することにより、ドプラ偏移周波数ｆｄの成分を有するドプラ信号を発生する。ドプラ信号は、例えば、血流、組織、造影剤によるエコー成分である。
【００２６】
速度／分散／Ｐｏｗｅｒ演算デバイスは、図示していないＭＴＩ（Ｍｏｖｉｎｇ  Ｔａｒｇｅｔ  Ｉｎｄｉｃａｔｏｒ）フィルタ、自己相関演算器等を有する。ＭＴＩフィルタは、発生されたドプラ信号に対して、臓器の呼吸性移動や拍動性移動などに起因するドプラ成分（クラッタ成分）を除去する。自己相関演算器は、ＭＴＩフィルタによって血流情報のみが抽出されたドプラ信号に対して、自己相関値を算出する。自己相関演算器は、算出された自己相関値に基づいて、血流の平均速度値、分散値、ドプラ信号の反射強度等を算出する。速度／分散／Ｐｏｗｅｒ演算デバイスは、複数のドプラ信号に基づく血流の平均速度値、分散値、ドプラ信号の反射強度等に基づいて、カラードプラデータを発生する。以下、ドプラ信号とカラードプラデータとをまとめて、ドプラデータと呼ぶ。
【００２７】
また、ドプラデータとＢモードデータとをまとめてローデータ（Ｒａｗ  Ｄａｔａ）と呼ぶ。なお、ローデータは、エコー信号のうち、送信超音波の高調波成分によるＢモードデータ、および被検体内の生体組織に関する弾性データであってもよい。Ｂモード処理ユニット１４１およびドプラ処理ユニット１４２は、発生したローデータを画像生成ユニット１４３に出力する。なお、Ｂモード処理ユニット１４１およびドプラ処理ユニット１４２は、発生したローデータを後述する縦横比計算部１５に出力してもよい。また、Ｂモード処理ユニット１４１およびドプラ処理ユニット１４２は、発生したローデータを後述するシネメモリ１７に出力することも可能である。
【００２８】
画像生成ユニット１４３は、図示していないディジタルスキャンコンバータ（Ｄｉｇｉｔａｌ  Ｓｃａｎ  Ｃｏｎｖｅｒｔｅｒ：以下ＤＳＣと呼ぶ）を有する。画像生成ユニット１４３は、ＤＳＣに対して、座標変換処理（リサンプリング）を実行する。座標変換処理とは、例えば、ローデータからなる超音波スキャンの走査線信号列を、テレビなどに代表される一般的なビデオフォーマットの走査線信号列に変換することである。画像生成ユニット１４３は、座標変換処理に続けて補間処理を、ＤＳＣに対して実行する。補間処理とは、隣り合う走査線信号列におけるローデータを用いて、走査線信号列間にデータを補間する処理である。
【００２９】
画像生成ユニット１４３は、ローデータに対して座標変換処理と補間処理とを実行することにより、表示画像としての超音波画像を生成する。なお、画像生成ユニット１４３は、生成した超音波画像に対応するデータ（以下、画像データと呼ぶ）を記憶する画像メモリを有していてもよい。画像生成ユニット１４３は、画像データを後述する縦横比計算部１５および画像合成部１８に出力する。以下、Ｂモードデータを用いて発生された超音波画像をＢモード画像と呼ぶ。また、ドプラデータを用いて発生された超音波画像をドプラ画像と呼ぶ。以下の説明において、Ｂモード画像およびドプラ画像をまとめて断層像と呼ぶ。
【００３０】
なお、画像生成ユニット１４３は、図示していない位置検出部から出力されたプローブ座標から決まる被検体の断面の位置情報を、発生された超音波画像に付帯させてもよい。予め他の医用画像装置で発生しておいたボリュームデータを後述する記憶部１９に記憶させておくことで、画像生成ユニット１４３は、このボリュームデータと被検体の断面の位置情報とから、生成された超音波画像の断面位置に対応する医用画像を生成してもよい。
【００３１】
縦横比計算部１５は、後述する表示部２１で表示されている超音波画像の表示枠のサイズを取得する。具体的には、縦横比計算部１５は、例えば、２画像並列表示を実行する指示が入力装置２２を介して操作者により入力されると、表示されている超音波画像の表示枠の縦の長さと横の長さとを取得する。２画像並列表示を実行する指示とは、例えば、２つの医用画像を並列させて表示する画像並列表示モードの入力ボタンの操作である。なお、画像並列表示モードは、２画像に限定されない。画像並列表示モードは、任意の枚数で、画像を並列させることが可能である。なお、入力装置２２を介して入力される情報は、２画像並列表示を指示する情報の代わりに、同時に並列表示される画像の枚数（以下、同時表示枚数と呼ぶ）であってもよい。また、同時表示枚数は、２枚に限定されない。以下、説明を簡単にするために、入力装置２２を介して入力される同時表示枚数は、２枚であるものとする。なお、縦横比計算部１５は、画像生成ユニット１４３で生成された超音波画像の表示枠のサイズを取得してもよい。また、縦横比計算部１５は、超音波画像に替えて画像生成ユニット１４３が生成する医用画像の表示サイズを取得してもよい。なお、上記医用画像は、後述するレイアウトの設定において、用いられてもよい。
【００３２】
縦横比計算部１５は、表示サイズの横の長さに対する表示サイズの縦の長さの比（以下、縦横比と呼ぶ）を計算する。なお、縦横比計算部１５は、縦の長さの比に対する横の長さの比を計算してもよい。縦横比計算部１５は、計算した縦横比を後述するレイアウト設定部１６に出力する。なお、縦横比計算部１５は、縦横比として、超音波画像の表示枠のサイズにおける縦方向の画素数と横方向の画素数とを取得してもよい。このとき、縦横比計算部１５は、縦横比として、横方向の画素数に対する縦方向の画素数の比を計算する。超音波画像が拡大表示されている場合、縦横比計算部１５は、拡大表示されている超音波画像の表示領域に対して、縦横比を計算する。
【００３３】
レイアウト設定部１６は、図示していないメモリに、同時表示枚数に対応する閾値（以下、同時表示閾値と呼ぶ）を記憶する。レイアウト設定部１６は、同時表示枚数が入力装置２２を介して入力されると、同時表示枚数に対応した同時表示閾値を、メモリから読み出す。レイアウト設定部１６は、縦横比と同時表示閾値とを比較する。なお、同時表示閾値は、後述する記憶部１９に記憶されてもよい。
【００３４】
例えば、レイアウト設定部１６は、縦横比が同時表示閾値以上である場合、記憶部１９に予め記憶された複数の表示レイアウトから特定の表示レイアウトを、複数の断層像を表示させるためのレイアウトとして設定する。複数の表示レイアウトとは、例えば、左右並列に並べたｎ画像の表示（ｎは２以上の整数）、上下並列に並べたｍ画像の表示レイアウト（ｍは２以上の整数）などである。特定の表示レイアウトとは、例えば、左右並列２画像を表示する表示レイアウト（以下、左右並列レイアウトと呼ぶ）である。レイアウト設定部１６は、設定した左右並列レイアウトを記憶部１９から画像合成部１８に出力させる指示を、後述するＣＰＵ２３に出力する。
【００３５】
また、レイアウト設定部１６は、縦横比が同時表示閾値未満である場合、予め記憶部１９に記憶された複数の表示レイアウトから特定の表示レイアウトを設定する。特定の表示レイアウトとは、例えば、上下並列２画像を表示する表示レイアウト（以下、上下並列レイアウトと呼ぶ）である。レイアウト設定部１６は、設定した上下並列レイアウトを記憶部１９から画像合成部１８に出力させる指示を、後述するＣＰＵ２３に出力する。
【００３６】
なお、上記説明は、縦横比が横の長さに対する縦の長さの比である場合の説明である。縦横比として、縦の長さに対する横の長さの比を用いた場合、上記説明は以下のようになる。
【００３７】
レイアウト設定部１６は、縦横比が同時表示閾値以上である場合、複数の表示レイアウトから上下並列レイアウトを、複数の断層像を表示させるためのレイアウトとして設定する。レイアウト設定部１６は、設定した上下並列レイアウトを記憶部１９から画像合成部１８に出力させる指示を、後述するＣＰＵ２３に出力する。レイアウト設定部１６は、縦横比が同時表示閾値未満である場合、記憶部１９に記憶された複数の表示レイアウトから左右並列レイアウトを、複数の断層像を表示させるためのレイアウトとして設定する。レイアウト設定部１６は、設定した左右並列レイアウトを記憶部１９から画像合成部１８に出力させる指示を、後述するＣＰＵ２３に出力する。
【００３８】
なお、レイアウト設定部１６は、断層像のサイズと断層像の同時表示枚数とに基づいて、特定の表示レイアウトを設定することも可能である。断層像のサイズとは、例えば、断層像の表示枠の縦の長さと横の長さとである。具体的には、レイアウト設定部１６は、縦の長さと横の長さとのうち短い方の長さを特定する。レイアウト設定部１６は、短い方の長さの方向（縦または横）に関して、入力された同時表示枚数に亘って複数の断層像を並列表示させる表示レイアウトを、複数の断層像を表示させるためのレイアウトとして設定する。
【００３９】
なお、レイアウト選択部１６は、予め記憶された複数の表示レイアウトから特定の表示レイアウトを選択する動作に替えて、縦横比と同時表示枚数の情報に基づき特定の表示レイアウトを都度計算して生成する動作を行っても構わない。
【００４０】
また、レイアウト設定部１６は、断層像における方位角または画像幅と、断層像の視野深度と、同時表示枚数とに基づいて、特定の表示レイアウトを設定することも可能である。まず、断層像における方位角と、断層像の視野深度と、同時表示枚数とに基づいて、特定の表示レイアウトを設定することについて説明する。レイアウト設定部１６は、断層像が扇形の形状を有するＢモード画像である場合、断層像の視野深度と方位角とを走査部１３から取得する。レイアウト設定部１６は、視野深度が大きく方位角が小さい場合、左右並列レイアウトを、複数の断層像を表示させるためのレイアウトとして設定する。また、レイアウト設定部１６は、視野深度が小さく方位角が大きい場合、上下並列レイアウトを、複数の断層像を表示させるためのレイアウトとして設定する。
【００４１】
次に、断層像における画像幅と、断層像の視野深度と、同時表示枚数とに基づいて、特定の表示レイアウトを設定することについて説明する。画像幅とは、例えば超音波プローブ１１が振動子を１次元に直線的に配列させたリニアプローブである場合、断層像の幅に相当する。レイアウト設定部１６は、断層像の視野深度と画像幅とを走査部１３から取得する。レイアウト設定部１６は、視野深度が大きく画像幅が小さい場合、左右並列レイアウトを、複数の断層像を表示させるためのレイアウトとして設定する。また、レイアウト設定部１６は、視野深度が小さく画像幅が大きい場合、上下並列レイアウトを、複数の断層像を表示させるためのレイアウトとして設定する。
【００４２】
シネメモリ１７は、例えばフリーズする直前の複数のフレームに対応する超音波画像を保存するメモリである。このシネメモリに記憶されている画像を連続表示（シネ表示）することで、超音波動画像を表示することも可能である。
【００４３】
画像合成部１８は、超音波画像に、種々のパラメータの文字情報および目盛等を合成する。画像合成部１８は、合成された超音波画像を表示部２１に出力する。画像合成部１８は、記憶部１９から出力された特定の表示レイアウトに従って、縦横比の計算に用いられた超音波画像と、画像生成ユニット１４３で生成された超音波画像とを並列表示した並列画像を発生する。例えば、縦横比の計算に用いられた超音波画像は、リアルタイムで表示または更新されている超音波画像のうち、入力装置２２を介してフリーズ操作された時の超音波画像である。画像生成ユニット１４３で生成された超音波画像とは、例えば、リアルタイムで表示または更新されている超音波画像である。なお、画像合成部１８は、記憶部１９から出力された特定の表示レイアウトに従って、縦横比の計算に用いられた超音波画像（リアルタイムで更新されている超音波画像）とシネメモリ１７に記憶された画像とを並列表示した並列画像を発生してもよい。この時、シネメモリに記憶された画像は、シネ表示（ループ再生）される。
【００４４】
なお、並列画像における２種の超音波画像は、モードの異なる超音波画像であってもよい。例えば、縦横比の計算に用いられた超音波画像は、入力装置２２を介してフリーズ操作されたときのＢモード画像であって、画像生成ユニット１４３で生成された画像は、ドプラ画像であってもよい。画像合成部１８は、発生した並列画像を、後述する表示部２１に出力する。
【００４５】
なお、画像合成部１８は、特定の表示レイアウトに従って、縦横比の計算に用いられた超音波画像と被検体に関する複数の医用画像のうち操作者により選択された医用画像とを並列表示した並列画像を発生してもよい。医用画像とは、例えば、Ｘ線診断装置、Ｘ線コンピュータ断層撮影装置、磁気共鳴イメージング装置、核医学診断装置などの他の医用画像診断装置により発生された被検体の過去の医用画像である。なお、画像合成部１８は、記憶部１９から出力された特定の表示レイアウトに従って、縦横比の計算に用いられた超音波画像と、縦横比の計算に用いられた超音波画像の断面位置に対応する医用画像とを並列表示した並列画像を発生してもよい。生成された超音波画像と同じ断面の医用画像は、後述するインターフェース部２０を介して、他の医用画像診断装置、または医用画像保管通信システム（Ｐｉｃｔｕｒｅ  Aｒｃｈｉｖｉｎｇ  ａｎｄ  Ｃｏｍｍｕｎｉｃａｔｉｏｎ  Ｓｙｓｔｅｍ：以下、ＰＡＣＳと呼ぶ）からダウンロードされてもよい。
【００４６】
記憶部１９は、フォーカス深度の異なる複数の受信遅延パターンおよび複数の送信遅延パターン、本超音波診断装置１の制御プログラム、診断プロトコル、送受信条件等の各種データ群、断層像データ発生部１４で発生されたローデータおよび超音波画像、縦横比の計算に関するアルゴリズム、複数の表示レイアウト、他の医用画像診断装置により発生された被検体に関する複数の医用画像およびボリュームデータ、生成された超音波画像の断面位置に対応する被検体の過去の複数の医用画像、記憶されたボリュームデータと被検体断面の位置情報とを用いて生成された超音波画像の断面位置に対応する医用画像を発生するアルゴリズム、同時表示閾値などを記憶する。
【００４７】
インターフェース部２０は、入力装置２２、ネットワーク、図示していない外部記憶装置および生体信号計測部に関するインターフェースである。装置本体１２によって得られた超音波画像等のデータおよび解析結果等は、インターフェース部２０とネットワークとを介して他の装置に転送可能である。なお、インターフェース部２０は、ネットワークを介して、図示していない他の医用画像診断装置で取得された被検体に関する医用画像を、ダウンロードすることも可能である。
【００４８】
表示部２１は、画像合成部１８の出力に基づいて、Ｂモード画像およびドプラ画像などの超音波画像、または並列画像などを表示する。なお、表示部２１は、表示された画像に対して、ブライトネス、コントラスト、ダイナミックレンジ、γ補正などの調整および、カラーマップの割り当てを実行してもよい。
【００４９】
入力装置２２は、インターフェース部２０に接続され操作者からの各種指示・命令・情報・選択・設定を装置本体１２に取り込む。入力装置２２は、図示していないトラックボール、スイッチボタン、マウス、キーボード等の入力デバイスを有する。入力デバイスは、表示画面上に表示されるカーソルの座標を検出し、検出した座標を後述するＣＰＵ２３に出力する。なお、入力デバイスは、表示画面を覆うように設けられたタッチコマンドスクリーンでもよい。この場合、入力装置２２は、電磁誘導式、電磁歪式、感圧式等の座標読み取り原理でタッチ指示された座標を検出し、検出した座標をＣＰＵ２３に出力する。また、操作者が入力装置２２の終了ボタンまたはフリーズボタンを操作すると、超音波の送受信は終了し、装置本体１２は一時停止状態となる。
【００５０】
入力装置２２は、所定位置の調整、画像並列表示モードの指示、同時表示枚数などを、装置本体１２に入力する。入力デバイスは、例えば、画像並列表示モードを入力するための釦を有する。
【００５１】
ＣＰＵ２３は、操作者により入力装置２２を介して入力されたＢモードとドプラモードとの選択、フレームレート、被走査深度、送信開始・終了に基づいて、記憶部１９に記憶された送信遅延パターン、受信遅延パターンと装置制御プログラムとを読み出し、これらに従って装置本体１２および超音波プローブ１１を制御する。例えば、ＣＰＵ２３は、記憶部１９から読み出した縦横比の計算に関するアルゴリズムに従って、縦横比計算部１５を制御する。ＣＰＵ２３は、レイアウト選択部１６により複数の表示レイアウトから選択された特定の表示レイアウトを、記憶部１９から読み出す。ＣＰＵ２３は、読み出した特定の表示レイアウトを、画像合成部１８に出力する。
【００５２】
（画像並列表示機能）  
画像並列表示機能とは、同時表示枚数に対応する同時表示閾値と超音波画像の縦横比とに基づいて複数の表示レイアウトから特定の表示レイアウトを選択し、選択された特定の表示レイアウトに従って、縦横比の計算に用いられた超音波画像と選択された医用画像とを並列表示させる機能である。以下、画像並列表示機能に関する処理（以下、画像並列表示処理と呼ぶ）を説明する。
【００５３】
図４は、画像並列表示処理の手順を示すフローチャートである。  
被検体Ｐに超音波が送信され、被検体の断層の超音波画像（以下、断層像と呼ぶ）が発生される（ステップＳａ１）。発生された断層像が表示部２１に表示される。入力装置２２を介して、操作者により画像並列表示モードおよび同時表示枚数が入力される（ステップＳａ２）。この時、同時表示される医用画像が入力装置２２を介して選択されてもよい。表示された断層像の表示枠の縦横比が計算される（ステップＳａ３）。計算された縦横比と入力された同時表示枚数と同時表示閾値とに基づいて、複数の表示レイアウトから特定の表示レイアウトが設定される（ステップＳａ４）。設定された特定の表示レイアウトに従って、表示された断層像と選択された医用画像とが、表示部２１に表示される（ステップＳａ５）。
【００５４】
図５は、ステップＳａ５の処理において、特定の表示レイアウト（上下並列レイアウト）で表示部２１に表示された２枚の断層像の一例を示す図である。図５の上下並列レイアウトにおいて、上段の超音波画像は、リアルタイムで更新される画像を示している。図５の上下並列レイアウトにおいて、下段の超音波画像は、フリーズ操作された時の超音波画像を示している。
【００５５】
（変形例）  
第１の実施形態との相違は、表示部２１で表示された超音波画像が入力装置２２を介して拡大表示された場合、拡大表示された超音波画像の表示枠のサイズを用いて、縦横比を計算することにある。
【００５６】
入力装置２２は、表示部２１に表示されたひとつの断層像を拡大表示するための指示（ＺＯＯＭ：以下、拡大表示指示と呼ぶ）を入力する。なお、入力装置２２は、拡大表示指示に加えて、表示部２１に表示されたひとつの断層像の表示領域を移動する指示（ＰＡＮ：以下、表示領域移動指示と呼ぶ）を入力してもよい。
【００５７】
表示部２１は、拡大表示指示の入力を契機として、表示された断層像を拡大表示する。表示部２１は、表示領域移動指示の入力を契機として、表示された断層像の表示領域を移動させる。
【００５８】
縦横比計算部１５は、拡大表示された断層像（以下、拡大表示画像と呼ぶ）が表示部２１で表示されている場合であって、２画像並列表示を実行する指示が入力装置２２を介して入力されると、拡大表示画像の表示枠のサイズを取得する。なお、縦横比計算部１５は、表示領域を移動させた断層像（以下、表示領域移動画像と呼ぶ）が表示されている場合であって、２画像並列表示を実行する指示が入力装置２２を介して入力されると、表示領域移動画像の表示サイズを取得してもよい。以下、説明を簡単にするために、拡大表示画像に対して縦横比計算部１５が実行する処理について説明する。
【００５９】
具体的には、縦横比計算部１５は、表示部２１で表示されている拡大表示画像の表示枠の縦の長さと横の長さとを取得する。縦横比計算部１５は、取得した横の長さと縦の長さとを用いて縦横比を計算する。縦横比計算部１５は、計算した縦横比を後述するレイアウト選択部１６に出力する。
【００６０】
（画像並列表示機能）  
第１の実施形態における画像並列表示機能との差異は、図４のフローチャートにおいて、ステップＳａ１の処理とステップＳａ２の処理との間に、以下の処理が挿入されることと、ステップＳａ３の処理が、以下のように変更されることにある。
【００６１】
ステップＳａ１の処理とステップＳａ２の処理との間に挿入される処理は、入力装置２２を介して、断層像を拡大表示させる処理である。
【００６２】
ステップＳａ３の処理は、拡大表示された断層像の表示枠の縦横比が計算される処理に変更される。
【００６３】
以上に述べた構成によれば、以下の効果を得ることができる。  
本超音波診断装置１によれば、表示されている断層像の表示枠の縦横比と同時表示枚数とに基づいて、複数の表示レイアウトから並列表示に最適な特定の表示レイアウトを設定し、設定された特定の表示レイアウトに従って、複数の断層像を表示することができる。これにより、画像並列表示モードを操作者が選択すれば、操作者は追加の細かな指示を入力する必要がなくなり、操作性が大幅に向上する。加えて、操作者の指示により拡大された断層像の表示領域を維持したままで、複数の断層像を表示することができる。
【００６４】
本超音波診断装置１によれば、画像並列表示モードにおけるプリセットを変更することなしに、画像並列表示の最適な表示レイアウトを選択することができる。このため、様々な部位を観察する整形外科およびリウマチ科において、超音波診断による検査効率が向上する。加えて、本超音波診断装置１によれば、操作者によるボタン操作等が少ないため、超音波診断装置１の操作に熟練していない操作者であっても、熟練者と同様な画像並列表示を実行することができる。
【００６５】
（第２の実施形態）  
第１の実施形態との相違は、断層像データ発生部１４で発生された画像データまたはローデータに基づいて、表示部２１で表示される断層像の一部を表示領域として決定し、決定された表示領域の縦横比と同時表示枚数とに基づいて、複数の表示レイアウトから特定の表示レイアウトを設定し、設定された特定の表示レイアウトに従って、決定された表示領域で断層像を表示することにある。
【００６６】
図６は、第２の実施形態に係る超音波診断装置の構成の一例を示す図である。  
表示領域決定部２４は、断層像データ発生部１４から出力された断層像の画像データに基づいて、断層像の表示領域を決定する。  
例えば、表示領域決定部２４は、生成された断層像における複数の画素値各々を第１の閾値と比較する。表示領域決定部２４は、第１の閾値より小さい画素値を有する複数の画素を特定する。表示領域決定部２４は、断層像の縦方向に平行に並ぶ複数の画素からなる複数の列（以下、複数の画素列と呼ぶ）ごとに、特定された画素が断層像の下端から連続して続く長さ（または画素数）を特定する。表示領域決定部２４は、複数の画素列にそれぞれ対応する複数の長さのうち最も短い長さを断層像の縦方向の長さから差分する。表示領域決定部２４は、断層像の上端から差分した長さの位置を、断層像の表示領域の下端として決定する。表示領域決定部２４は、断層像の左右端を表示領域の左右端とし、断層像の上端を表示領域の上端として決定する。
【００６７】
表示領域決定部２４は、断層像のうち表示領域に含まれる複数の画素を、断層表示像として、シネメモリ１７、記憶部１９、表示部２１に出力する。表示領域決定部２４は、断層像のうち表示領域に含まれない画素を削除する。なお、表示領域決定部２４は、断層像の表示領域に含まれない画素を、非表示領域として、記憶部１９に記憶させてもよい。この時、表示領域決定部２４は、断層表示像と非表示領域とを結合させることにより、元の断層像を発生させることも可能である。
【００６８】
また、表示領域決定部２４は、画素値の代わりに輝度値、または色相に関する値を用いてもよい。このとき、表示領域決定部２４は、第１の閾値とは異なる第２の閾値を用いる。なお、表示領域決定部２４は、走査線上のローデータと上記第１、第２の閾値とは異なる第３の閾値とを比較することにより、画像並列表示モードで表示される断層像のローデータに対する表示領域を決定することも可能である。
【００６９】
なお、表示領域決定部２４は、断層像の横軸に平行に並ぶ複数の画素からなる複数の行（以下、複数の画素行と呼ぶ）ごとに、特定された画素が断層像の左端から連続して続く長さ（または画素数）を特定する。表示領域決定部２４は、複数の画素行にそれぞれ対応する複数の長さのうち最も短い長さを断層像の横軸の長さから差分する。表示領域決定部２４は、断層像の左端から差分した長さの位置を、断層像の表示領域の左端として決定してもよい。
【００７０】
また、表示領域決定部２４は、複数の画素行ごとに、特定された画素が断層像の右端から連続して続く長さ（または画素数）を特定する。表示領域決定部２４は、複数の画素行にそれぞれ対応する複数の長さのうち最も短い長さを断層像の横軸の長さから差分する。表示領域決定部２４は、断層像の右端から差分した長さの位置を、断層像の表示領域の右端として決定してもよい。
【００７１】
縦横比計算部１５は、表示領域決定部２４で決定された断層像の表示領域のサイズを取得する。縦横比計算部１５は、表示領域の横の長さに対する表示領域の縦の長さの比（縦横比）を計算する。
【００７２】
記憶部１９は、第１乃至第３の閾値のうち、表示領域を決定する方法に応じた閾値を記憶する。
【００７３】
（画像並列表示機能）  
画像並列表示機能とは、発生された断層像データまたはローデータに基づいて、表示部２１で表示される断層像の一部を表示領域として決定し、決定された表示領域の縦横比と同時表示枚数とに基づいて、複数の表示レイアウトから特定の表示レイアウトを設定し、設定された特定の表示レイアウトに従って、決定された表示領域で断層像を表示する機能である。以下、画像並列表示機能に係る処理について説明する。
【００７４】
図７は、第２の実施形態に係り、発生された断層像のデータに基づいて、断層像の一部を表示領域として決定し、決定された表示領域の縦横比と、画像の同時表示枚数とに基づいて、複数の表示レイアウトから特定の表示レイアウトを選択する手順を示すフローチャートである。
【００７５】
被検体Ｐに超音波が送信され、断層像のデータが発生される（ステップＳｂ１）。発生された断層像のデータに基づいて、断層像の一部が表示領域として決定される（ステップＳｂ２）。入力装置２２を介して、操作者により画像並列表示モードおよび同時表示枚数が入力される（ステップＳｂ３）。この時、同時表示される医用画像が入力装置２２を介して選択されてもよい。決定された表示領域のサイズを用いて、表示領域の縦横比が計算される（ステップＳｂ４）。表示領域の縦横比と入力された同時表示枚数と同時表示閾値とに基づいて、複数の表示レイアウトから特定の表示レイアウトが設定される（ステップＳｂ５）。設定された特定の表示レイアウトに従って、断層像と選択された医用画像とが、表示部２１に表示される（ステップＳｂ６）。
【００７６】
（変形例）  
第２の実施形態との相違は、予め記憶部１９に記憶されたノイズ画像に対する断層像データ発生部１４で発生された超音波画像の比（Ｓｉｇｎａｌ  ｔｏ  Ｎｏｉｓｅ  ｒａｔｉｏ：以下、Ｓ／Ｎ比と呼ぶ）を、画素ごとに計算し、計算されたＳ／Ｎ比と第４の閾値とを用いて表示領域を決定することにある。
【００７７】
記憶部１９は、ノイズ画像を記憶する。ノイズ画像とは、超音波を被検体に送信せずに、受信処理のみを実行することによって発生される画像である。なお、ノイズ画像は、正規乱数を用いることにより作成されたホワイトノイズに関する画像であってもよい。記憶部１９は、第４の閾値を記憶する。第４の閾値は、後述する表示領域決定部２４で断層像の表示領域を決定するために用いられる。なお、ノイズ画像は、インターフェース部２０を介して、ネットワークを経由して接続されたＰＡＣＳなどから、読み込まれてもよい。読み込まれたノイズ画像は、記憶部１９に記憶される。
【００７８】
表示領域決定部２４は、記憶部１９に記憶されたノイズ画像を読み出す。表示領域決定部２４は、読み出されたノイズ画像に対する超音波画像のＳ／Ｎ比を、画素ごとに計算する。具体的には、表示領域決定部２４は、同一座標を有する画素ごとに、ノイズ画像の画素値に対する超音波画像の画素値の比を計算する。表示領域決定部２４は、画素ごとに、Ｓ／Ｎ比を第４の閾値と比較する。表示領域決定部２４は、超音波画像において、第４の閾値より小さいＳ／Ｎ比に関する複数の画素を特定する。以降の処理は、第２の実施形態と同一なため説明を省略する。
【００７９】
なお、表示領域決定部２４は、超音波画像の画素値の代わりに、表示部２１に表示された超音波画像の輝度値を用いることも可能である。この時、表示領域決定部２４は、ノイズ画像の画素値の代わりに、表示部２１に表示されたノイズ画像の輝度値を用いる。また、表示領域決定部２４は、超音波画像の画素値の代わりに、超音波画像のローデータを用いることも可能である。また、表示領域決定部２４は、画素ごとにＳ／Ｎ比を比較する代わりに、例えば３画素×３画素などのブロックごとにＳ／Ｎ比の比較を行ってもよい。比較の対象となるＳ／Ｎ比の値は例えばブロック中心のＳ／Ｎ比の値であってもよいし、ブロック内の各画素のＳ／Ｎ比の平均値であってもよい。
【００８０】
（画像並列表示機能）  
第２の実施形態における表示並列表示機能との相違は、断層像データまたはローデータとのノイズ画像のデータとに基づいて画素ごとにＳ／Ｎ比を計算し、Ｓ／Ｎ比と第４の閾値とを用いて表示領域を決定することにある。
【００８１】
第２の実施形態における画像並列表示機能との差異は、図７のフローチャートにおいて、ステップＳｂ２の処理の詳細が以下のように変更されることにある。ステップＳｂ２の処理は、断層像のデータとノイズ画像のデータとに基づいて、断層像の表示領域を決定する処理に変更される。
【００８２】
以上に述べた構成によれば、以下の効果を得ることができる。  
本超音波診断装置１によれば、断層像データ発生部１４で発生された画像データまたはローデータに基づいて、表示部２１で表示される断層像の表示領域を決定し、決定された表示領域の縦横比と同時表示枚数とに基づいて、複数の表示レイアウトから特定の表示レイアウトを選択することができる。これにより、診断に有用な信号が表示されていない領域を除外することができ、表示画面を有効に使用することができる。加えて、操作者が超音波画像の表示領域を指定および調整する必要がないため、画像並列表示モードに対する操作性が向上する。さらに、操作者にとって、最も比較がしやすい超音波画像の大きさと表示レイアウトで、例えば、２画像並列表示を提供することができる。
【００８３】
加えて、本超音波診断装置１によれば、ノイズ画像を用いて超音波画像の画素ごとにＳ／Ｎ比を計算し、計算されたＳ／Ｎ比と閾値を用いて、表示領域を決定することができる。これにより、超音波診断装置ごとのノイズ特性に左右されずに、超音波診断装置ごとのノイズ特性を考慮した定量的な表示領域の決定が可能となる。以上のことから、本超音波診断装置１によれば、操作者の操作を介さずに超音波画像の表示範囲を決定でき、かつ操作者にとって最適な画像並列表示を提供することができる。
【００８４】
以上のことから、画像並列表示モードにおいて、操作者の細かな操作を要求することがないため、画像並列表示モードにおける操作性が向上し、かつ操作者にとって最適な表示レイアウトを提供することができる。さらに、画像並列表示モードに用いられる複数の画像を縮小することなく、かつ視野幅を削ることもないため、操作者が所望する領域を、表示画面上に表示することができる。また、操作者が所望する超音波画像の表示領域が検査の状況に合わせて大きく変わることに対応して、操作者の指示なしに表示領域を変更することが可能となる。
【００８５】
また、第１の実施形態の変形例として、本超音波診断装置１の技術的思想を医用画像処理装置２５で実現する場合には、例えば図１の構成図における点線内の構成要素を有するものとなる。この時、画像並列表示機能に関する処理については、第１の実施形態における図４のステップＳａ１における「被検体に超音波を送信し、断層像のデータを発生」という処理は、「記憶部に記憶された断層像のデータを読み出し」という処理に変更される。また、第２の実施形態の変形例として、本超音波診断装置１の技術的思想を医用画像処理装置２６で実現する場合には、例えば図６の構成図における点線内の構成要素を有するものとなる。この時、画像並列表示機能に関する処理については、第２の実施形態における図７のステップＳｂ１における「被検体に超音波を送信し、断層像のデータを発生」という処理は、「記憶部に記憶された断層像のデータを読み出し」という処理に変更される。また、医用画像処理装置において、超音波診断装置から出力された断層像のデータなどを読み込んで、上記処理を実行することも可能である。
【００８６】
加えて、実施形態に係る各機能は、当該処理を実行するプログラムをワークステーション等のコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記憶媒体に格納して頒布することも可能である。
【００８７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００８８】
１…超音波診断装置、１１…超音波プローブ、１２…装置本体、１３…走査部、１４…断層像データ発生部、１５縦横比計算部、１６…レイアウト設定部、１７…シネメモリ、１８…画像合成部、１９…記憶部、２０…インターフェース部、２１…表示部、２２…入力装置、２３…制御プロセッサ（ＣＰＵ）、２４…表示領域決定部、２５…第１の実施形態の医用画像処理装置、２６…第２の実施形態の医用画像処理装置、１３１…超音波送信ユニット、１３１Ａ…パルス発生器、１３１Ｂ…送信遅延回路、１３１Ｃ…パルサ回路、１３２…超音波受信ユニット、１３２Ａ…プリアンプ、１３２Ｂ…受信遅延回路、１３２Ｃ…加算器、１４１…Ｂモード処理ユニット、１４２…ドプラ処理ユニット、１４３…画像生成ユニット
【図１】
0005984244.tif 000002
【図２】
0005984244.tif 000003
【図３】
0005984244.tif 000004
【図４】
0005984244.tif 000005
【図５】
0005984244.tif 000006
【図６】
0005984244.tif 000007
【図７】
0005984244.tif 000008
【図８】
0005984244.tif 000009
【図９】
0005984244.tif 000010
【図１０】
0005984244.tif 000011